【事件の表示】
　特許第２８４０６４６号「自動焦点カメラ」の特許に対する特許異議の申立てについて、次のとおり決定する。
【結　論】
　訂正を認める。
　特許第２８４０６４６号の請求項１ないし２に係る特許を維持する。
【理　由】
（１）手続きの経緯      
　本件特許第２８４０６４６号発明は、平成１年１２月１２日に出願され、平成１０年１０月２３日にその発明の特許がなされ、その後、旭光学工業　株式会社より特許異議の申立てがなされ、取消理由通知がなされ、その指定期間内である平成１１年１１月２日に訂正請求がなされ、訂正拒絶理由通知がなされ、これに対して、手続補正書が提出されたものである。
（２）訂正の適否についての判断
ア．訂正請求に対する補正の適否について
特許権者は、平成１２年４月４日付け手続補正書を提出し、特許請求の範囲の減縮を目的として、平成１１年１１月２日付け訂正請求書に添付された明細書における特許請求の範囲の請求項１「（１）被写体までの距離を測定する測距手段と、焦点距離を変更可能なズーム機能を有する撮影レンズと、該測距手段の測距結果に基づいて撮影レンズを合焦位置に駆動するレンズ駆動手段とを有する自動焦点カメラにおいて、前記撮影レンズの焦点距離を予め定めた値に設定するとともに、該撮影レンズの合焦位置を、前記予め定めた値の前記撮影レンズの焦点距離においてパンフォーカス状態となる予め設定された距離に設定するスナップモードを有することを特徴とする自動焦点カメラ。」を
「（１）被写体までの距離を測定する測距手段と、焦点距離を変更可能なズーム機能を有する撮影レンズと、該測距手段の測距結果に基づいて撮影レンズを合焦位置に駆動するレンズ駆動手段とを有する自動焦点カメラにおいて、前記撮影レンズの焦点距離を予め定めた値に設定するとともに、該撮影レンズの合焦位置を、前記測距手段によらず、前記予め定めた値の前記撮影レンズの焦点距離においてパンフォーカス状態となる予め設定された距離に設定するスナップモードを有することを特徴とする自動焦点カメラ。」とする補正を求めているので、まず、この補正の適否について検討すると、上記補正は、訂正明細書の記載事項の範囲内において、訂正明細書に記載された特許請求の範囲の減縮をするものであり、この補正により、訂正明細書に記載の特許請求の範囲を実質的に拡張又は変更するものとは認められないので、上記補正は認められる。
イ．訂正の内容
　そうすると、当該訂正請求に係る訂正の要旨は、平成１２年４月４日付けの手続補正書により補正された次のａのとおりのものと認められる。
ａ、明細書の特許請求の範囲第１項に係る発明を
「（１）被写体までの距離を測定する測距手段と、焦点距離を変更可能なズーム機能を有する撮影レンズと、該測距手段の測距結果に基づいて撮影レンズを合焦位置に駆動するレンズ駆動手段とを有する自動焦点カメラにおいて、前記撮影レンズの焦点距離を予め定めた値に設定するとともに、該撮影レンズの合焦位置を、前記測距手段によらず、前記予め定めた値の前記撮影レンズの焦点距離においてパンフォーカス状態となる予め設定された距離に設定するスナップモードを有することを特徴とする自動焦点カメラ。」と訂正する。
ウ.訂正の目的の適否及び拡張・変更の存否等
　上記訂正ａ、は、特許請求の範囲の減縮に該当し、願書に添付した明細書又は図面に記載された事項の範囲内のものであり、実質的に特許請求の範囲を拡張又は変更するものではなく、新規事項の追加もない。
エ．独立特許要件の判断
　そこで、上記訂正に係る請求項１の発明が本件出願の際独立して特許を受けることができるかどうか検討する。
〈引用例について〉
　当審が平成１２年１月１８日付け訂正拒絶理由通知において引用した刊行物１（特開昭５８−１２５００５号公報、以下「引用例１」という。）には、「予め設定したフォーカス位置にフォーカス用レンズを移動させるフォーカス部駆動手段と、予め設定したズーム位置にズーム用レンズを移動させるズーム部駆動手段とを備え、外部からの指示により前記フォーカス部駆動手段と前記ズーム部駆動手段の少なくとも１つを駆動させる事を特徴とするズームレンズ。」（特許請求の範囲第１項）、「そして現在の被写体距離信号を記録しておく。一方外部からボタン操作等による目的の被写体距離を予め設定する被写体距離設定手段ＯＤＭにより信号を記憶手段Ｍ１に記憶させておく。そして外部からのスイッチ操作等により予め設定した被写体距離の信号ＯＳ２と現在の被写体距離の信号ＯＳ１を比較手段ＯＣＭに入力する。そして現在の被写体距離信号と設定した被写体距離信号を比較手段ＯＣＭで比較しそして演算手段ＳＭで演算することによりフォーカスモーター等のフォーカシング駆動手段ＦＭＭの駆動量を決定し、設定した被写体距離までフォーカシング手段ＦＭを駆動する。これで１サイクルが終了する。」（第２頁右上欄第１０行乃至左下欄第３行）、「すなわち現在の焦点距離であるズーミング位置をズーミング部位置検知手段ＺＤＭで検知し、その焦点距離信号ＦＳ２と予め設定した記録手段Ｍ２からのズーム位置である焦点距離信号ＦＳ２と比較手段ＦＣＭで比較し、演算手段ＳＭで演算してズーミング手段ＺＭを駆動させて、予め設定したズーミング位置にズーミング用レンズを設定するものである。」（第２頁左下欄第１１行乃至第１８行）、「更にオートフォーカス機能を有するズームレンズに本発明の機能を用いれば、予め焦点距離のみを設定しておくだけで所定の目的に合った撮影が迅速に出来る。」（第２頁右下欄第９行乃至第１２行）及び「以上のように本発明に係るズームレンズによれば予め被写体距離及び焦点距離を設定しておけば、外部からの簡単な操作で所定の被写体距離及び焦点距離のズーム位置で目的とした撮影が迅速かつスムーズに撮影することができる。」（第２頁右下欄第１５行乃至第１９行）との記載があり、結局、オートフォーカス機能を有するズームレンズにおいて、焦点距離のみを外部からボタン操作等により予め定めた値に設定しておくだけで所定の目的に合った撮影が迅速にできるズームレンズが記載されている。
　同じく引用した刊行物２（特開昭６３−１８６２１９号公報、以下「引用例２」という。）には、「一般に、自動焦点調節カメラとして、光束を被写体に向けて投射し、その反射光を受光素子で受光することにより被写体までの距離を測定する三角測距方式による光投射式測距装置を有する自動焦点調節カメラが知られている。」（第１頁右欄第２行乃至第６行）、「本発明に係る自動焦点調節カメラは、撮影レンズが測距出力に応動して少なくとも３以上のフォーカシングゾーンの所定の撮影位置に設定される自動焦点調節カメラであって、」（第２頁右上欄第２０行乃至左下欄第３行）、及び「スナップ撮影か非スナップ撮影かを選択する切換手段によってスナップ撮影にすると、無限遠位置を除くフォーカシングゾーンの何れかに撮影レンズが設定され、いわゆるフォーカス操作ミスがあってもピンボケ写真にならない。他方、風景描写等の非スナップ撮影にすると、従来通りのゾーンフォーカスとなり、当然無限遠位置にも撮影レンズが設定されるようになり鮮明な写真を得られる。」（第２頁左下欄第１１行乃至第２０行）との記載がある。
　当審が平成１１年８月２０日付け取消理由通知において引用した刊行物３（特開昭５８−１５２２２７号公報、以下「引用例３」という。）には、
「ポップアップ状態でストロボ３１は発光可能状態すなわちシャッタ開放に連動して発光できる状態となる。また制御回路４３には測距回路１８からの信号が入力されるとともに、この制御回路４３からの信号は絞り４にも出力されている。従って、ポップアップ以後は、撮影距離に応じて絞り４が変化する、所謂フラッシュマチツク方式に切り換わることになる。」（第３頁左上欄第１行乃至第１０行）との記載がある。
〈対比・判断について〉
　本件請求項１に係る発明と上記引用例１に記載された発明とを対比すると、本件請求項１に係る発明の「ズーム機能を有する自動焦点カメラ」は、上記引用例１に記載された発明の「オートフォーカス機能を有するズームレンズ」に相当し、オートフォーカス機能を有するズームレンズが、測距手段、撮影レンズ、レンズ駆動手段を備えることは、技術常識であるから、両者は、被写体までの距離を測定する測距手段と、焦点距離を変更可能なズーム機能を有する撮影レンズと、該測距手段の測距結果に基づいて撮影レンズを合焦位置に駆動するレンズ駆動手段とを有する自動焦点カメラにおいて、前記撮影レンズの焦点距離を予め定めた値に設定する自動焦点カメラ、で一致し、
Ａ、本件請求項１に係る発明は、撮影レンズの焦点距離を予め定めた値に設定するとともに、該撮影レンズの合焦位置を、前記測距手段によらず、前記予め定めた値の前記撮影レンズの焦点距離においてパンフォーカス状態となる予め設定された距離に設定するスナップモードを有するのに対して、上記引用例１は、予め焦点距離のみを設定するとの記載がある点で相違する。
　そこで先ず、上記引用例２、３に、この相違点が開示されているか否かを検討すると、上記引用例２に記載されているものは、測距出力に応動して撮影レンズが少なくとも３以上のフォーカシングゾーンの所定の撮影位置に設定し、切換手段によってスナップ撮影にすると、無限位置を除くフォーカシングゾーンの何れかに撮影レンズが設定されるものであり、撮影レンズの撮影位置は、測距出力に応動するから、本件請求項１に係る発明とは相違し、スナップ撮影に切り換えても、１つの位置に設定されるわけではないから、本件請求項１に係る発明とは相違する。
　また、上記引用例３には、上記相違点Ａの構成が開示されていない。
　してみると、上記引用例１〜３には本件請求項１に係る発明の構成の一部である上記相違点Ａが記載されていない。
　本件請求項１に係る発明は、このＡの構成を有することによって、明細書記載の作用効果を奏するものであるから、訂正後の本件請求項１に係る発明が、上記引用例１〜３のいずれかであるとも、また、上記引用例１〜３に基づいて当業者が容易に推考できたものとも言えない。
　したがって、本件請求項１に係る発明は特許出願の際独立して特許を受けることができない発明とすることはできない。
オ．むすび
　以上のとおりであるから、上記訂正請求は、特許法第１２０条の４第２項及び第３項で準用する第１２６条第２−４項の規定に適合するので、当該訂正を認める。
（３）特許異議の申立てについての判断
ア．申立ての理由の概要
　申立人旭光学工業　株式会社は、証拠として甲第１号証（特開昭５８−１２５００５号公報、上記引用例１）、甲第２号証（特開昭６３−１８６２１９号公報、上記引用例２）、甲第３号証（特開昭５８−１５２２２７号公報、上記引用例３）を提出し、訂正前請求項１及び２に係る発明は、特許法第２９条第２項の規定に違反してなされたものであるから、特許を取り消すべき旨主張している。
イ．判断
〔本件請求項１に係る発明〕
  申立人旭光学工業　株式会社の主張については、上記（２）エ．で示したとおりである。
〔本件請求項２に係る発明〕
  本件請求項２に係る発明は、本件請求項１に係る発明の構成の一部をさらに限定したものであるから、本件請求項１に係る発明と同様の判断である。
ウ．むすび
　以上のとおりであるから、特許異議申立の理由及び証拠によっては、本件請求項１及び２に係る発明の特許を取り消すことはできない。
　また、他に本件請求項１及び２に係る発明の特許を取り消すべき理由を発見しない。
　よって、結論のとおり決定する。
【異議決定日】
平成１２年４月１７日（２０００．４．１７）
【訂正の要旨】
訂正の要旨
特許請求の範囲の減縮を目的として、下記（１）のように特許請求の範囲を訂正する。
（１）特許請求の範囲第１項を次のとおり訂正する。
「（１）被写体までの距離を測定する測距手段と、焦点距離を変更可能なズーム機能を有する撮影レンズと、該測距手段の測距結果に基づいて撮影レンズを合焦位置に駆動するレンズ駆動手段とを有する自動焦点カメラにおいて、前記撮影レンズの焦点距離を予め定めた値に設定するとともに、該撮影レンズの合焦位置を、前記測距手段によらず、前記予め定めた値の前記撮影レンズの焦点距離においてパンフォーカス状態となる予め設定された距離に設定するスナップモードを有することを特徴とする自動焦点カメラ。」
（５４）【発明の名称】
自動焦点カメラ
（５７）【特許請求の範囲】
（１）　被写体までの距離を測定する測距手段と、焦点距離を変更可能なズーム機能を有する撮影レンズと、該測距手段の測距結果に基づいて撮影レンズを合焦位置に駆動するレンズ駆動手段とを有する自動焦点カメラにおいて、前記撮影レンズの焦点距離を予め定めた値に設定するとともに、該撮影レンズの合焦位置を
、前記測距手段によらず、前記予め定めた値の前記撮影レンズの焦点距離においてパンフォーカス状態となる
（２）　ストロボ機能と、前記自動焦点カメラが前記スナップモードに設定され、かつストロボ撮影を行なうときには、前記測距手段の測距結果に基づいて前記撮影レンズの絞り制御を行なう絞り制御手段とを備えたことを特徴とする請求項１に記載の自動焦点カメラ。
【発明の詳細な説明】
（産業上の利用分野）
　本発明はＡＦ機構を備えた自動焦点カメラに関する。
（従来技術）
　最近のコンパンクトカメラには、カメラが自動的にピント合せをしてくれるＡＦ（オートフォーカス＝自動焦点調節）機構を備えたものが多い。ＡＦ機構には多くの方式があるが、コンパクトカメラにおいては、被写体までの距離を測定し、その測定結果に応じて撮影レンズをピント位置まで移動させるアクティブ測距方式がよく用いられている。
　この種のＡＦカメラにおいては、ファインダの中央部にＡＦフレームが設けられ、このＡＦフレームを被写体に合せるとその被写体にピントが合った写真が撮れる。
　このようなＡＦカメラは手動操作によるピント合わせが要らないので速写性に優れスナップ撮影などにとても便利であが、被写体が動いている場合には、被写体をＡＦフレーム内に確実にとらえることが難しい場合もあり、とらえきれずに結局ピンボケの写真になることも多い。
　さらに、たとえば二人並んだ写真を撮るときにはＡＦフレームが二人の間の背景に合ってしまうと、その背景にピントが合ってしまう（「中抜け」とよばれている）。この中抜けを防止する１つの方法として、まずピントを合せたい被写体にＡＦフレームを合わせ、レリーズボタンを半押ししてピントを固定させる。その後フレーミングを変えてシャッタを切る方法（ＡＦロックと呼ばれる）が知られている。
　しかしながら、このＡＦロックは操作がなかなか面倒であり、また素人のユーザーがそれに慣れるのも容易ではない。
（発明の目的および構成）
　本発明は上記の点にかんがみてなされたもので、自動焦点カメラにおいて、スナップ写真を簡単かつ確実に撮ることができるようにすることを目的とし、この目的を達成するため、自動焦点カメラにスナップモードを設け、スナップモードにおいては、撮影レンズを特定有限距離にある被写体に合焦する位置に移動させるとともに、スナップモードであってストロボ使用時には測距手段の測距結果に応じて絞り制御を行なうように構成した。
（実施例）
　以下本発明を図面に基づいて説明する。
　第１図は本発明による自動焦点カメラの一実施例の外観図である。
　図において、１は撮影レンズであり、それは２群ズーム方式になっており、その前群レンズがフォーカスレンズを兼ねている。２は鏡胴、３はストロボ、４は実像式ズームファインダのファインダ窓、５はＡＦ発光部、６はＡＥ受光部、７はＡＦ受光部である。８はレリーズボタン、９はズーム操作用のズームボタン、１０はフィルムを使い終らない途中でフィルム巻戻しをするための途中巻戻しボタン、１１は撮影済みフィルム枚数やバッテリの残量その他の撮影関連情報を表示する液晶表示パネル、１２はストロボやセルフタイマの使用モードを選択するモード切換ボタン、１３はカメラを後述するスナップモードに設定するためのスナップモード設定ボタン、１４は電源をＯＮ／ＯＦＦするための電源スイッチ、１５はカメラのグリップである。
　次に上記カメラの回路構成を第２図に示す。図において、２１は回路各部に電源を供給する電源制御部、２２はスナップモードのときのカメラ動作およびその他のカメラの撮影シーケンスを制御するＣＰＵ、２３は液晶表示パネルを構成する液晶表示装置、２４は近距離警告などのファインダ内表示を行なうＬＥＤ、２５はストロボ装置である。また２６はシャッタモータ２７を駆動するシャッタ駆動部、２８はフォーカスレンズ（前群レンズ）を移動させてフォーカシングを行なうフォーカスモータ、２９はフォーカスモータ２８を駆動するレンズ駆動部である。３０はシャッタ羽根やフォーカスレンズの位置を検出するフォトインタラプタ、３１はズーミングを行なうズームモータ３２を駆動するズーム駆動部、３３はフィルム巻上げ巻戻しモータ３４を駆動するフィルム駆動部である。さらに３５はフィルムの移送量を検出するフィルム移送量検出スイッチ、３６はズームレンズの位置検出部、３７はフィルムに日付や時間などを写し込むデータ写しこみ装置、３８は調整用またはテスト用のスイッチで構成されるオプションスイッチ群である。
　３９はキースイッチ群であり、次の各スイッチから構成されている。それらのスイッチは、レリーズボタン８を１段押し下げたときＯＮするＳ１スイッチ、レリーズボタン８をさらにもう１段押し下げたときＯＮするＳ２スイッチ、ズームボタン９を押したときＯＮするズームスイッチ、スナップボタン１３を押すとＯＮするスナップスイッチ、モード切換ボタン１２を押すとＯＮするモードスイッチ、電源スイッチ１４を押すとＯＮするメインスイッチ、および途中巻戻しボタン１０を押すとＯＮする巻戻しスイッチである。
　さらに、４０は周波数の異なる２種類のクロックをＣＰＵに供給する発振回路、４１はフィルムのパトローネに付されたＤＸコードを読取るＤＸコード検出回路、４２は被写体までの距離を測定する測距部である。測距部４２は、赤外ＬＥＤからの赤外光を被写体に照射する発光部と、被写体からの反射光をＰＳＤなどの受光素子で受光し、その光点位置から被写体までの距離を検出する受光部とから構成されている。４３はＣｄＳなどを用いて被写体輝度を測定する測光部である。
　次に第３図および第４図のフローチャートを用いて実施例の動作を説明する。第３図は撮影シーケンスのメインルーチンを示し、第４図はスナップモードのときのサブルーチンを示している。
　まず第３図において、カメラに電池を装填すると（Ｆ−１）、ＣＰＵがリセットされ（Ｆ−２）、その後メインの発振器が停止し、消費電流を少なくするためのストップ状態に維持される（Ｆ−３）。メインスイッチがＯＮすると（Ｆ−４）、ＣＰＵが実行状態になり（Ｆ−５）、カメラの機構上の様々な初期化（たとえばレンズ位置を初期位置に戻すなど）が行なわれる（Ｆ−６）。次にオートロード（ＡＬ）条件が成立すればオートロードを実行する（Ｆ−１６）。オートロード条件が成立しなければＣＰＵはスタンバイし（Ｆ−８）、ホルト状態に移行する（Ｆ−９）。
　ステップ（Ｆ−１）から（Ｆ−７）までは電池装填時に１回だけ実行され、電池装填後はステップ（Ｆ−８）
から実行される。
　さてステップ（Ｆ−１０）においてはキースイッチ群３９のスイッチ状態がチェックされ、そのうちのいずれかがキーＯＮされるとＣＰＵが動作するが（Ｆ−１１）、いずれもＯＦＦのときはパワーオフタイマの経過をみて（Ｆ−１２）、所定時間（たとえば１時間）経過していなければホルト状態を維持し、経過したらパワーオフ（ＣＰＵをストップ）する（Ｆ−３１）。
　いずれかのキーＯＮがあれば（Ｆ−１０）、ＣＰＵはまずバッテリの電圧をチェックし（Ｆ−１３）、バッテリ電圧が所定値以下のときはメインスイッチをみて（Ｆ−１４）、メインスイッチがＯＮであればパワーオフし（Ｆ−３１）、ＯＦＦであればステップ（Ｆ−８）へ戻る。バッテリ電圧が所定値以上あれば（Ｆ−１３）、オートロード条件をチェックし（Ｆ−１５）、その条件が成立していればＡＬシーケンスを実行して（Ｆ−１６）オートロードを行なう。オートロード条件が成立していなければ、次にＳ１スイッチがＯＮされたかどうかをみて（Ｆ−１７）、ＯＮであれば撮影シーケンスに移行する（Ｆ−１８）。
　撮影シーケンスにおいては、まず測距、測光が行なわれ、それらの結果よりシャッタスピードおよびフォーカスレンズの位置などの撮影条件が演算される。フォーカスレンズの位置はたとえば１段から２４段まで段階的に移動可能であり、そのレンズ位置に応じて被写体距離１８ｍ（１段）〜０．８ｍ（２４段）に合焦する。求められたレンズ位置は変数メモリ「レンズステップ」に記憶される。その後、さらにストロボ使用条件かどうを判断し、そうであればストロボ充電を行なう。次にＳ２がＯＮになったらフォーカスレンズをレンズステップの値に応じて繰り出し、シャッタを駆動して露光した後、レンズを初期位置へ戻す。
　その後はフィルムを巻上げ（Ｆ−１９）、フィルムの突っ張りからフィルムが終了したかどうかを覇断し（Ｆ−２０）、フィルム終了であればフィルムを巻戻し（Ｆ−３３）、そうでなければ連写条件が成立しているかどうかを判断する（Ｆ−２１）。連写条件はスナップスイッチがＯＮであること、Ｓ２がＯＮであることである。この条件が成立していれば、再びステップ（Ｆ−１８）へ戻り、撮影およびフイルム巻上げを繰り返す。つまりスナップモードにおいては、レリーズボタン８を押し続けることによって連写をすることができる。
　一方、Ｓ１スッチがＯＦＦならば（Ｆ−１７）ズームスイッチをみて（Ｆ−２２）、それがＯＮならズーム駆動部３１を作動させてＺ００Ｍシーケンスを実行して（Ｆ−２３）ズーム動作を行ない、ＯＦＦならスナップスイッチをチェックする（Ｆ−２４）。
　スナップスイッチがＯＮであればＳＮＡＰシーケンスを実行する（Ｆ−２５）。第４図はＳＮＡＰシーケンスの詳細を示したもので、スナップスイッチがＯＮすると、まずレンズステップを「１１」に設する（Ｓ−１）。次いでスナップフラグをみて（Ｓ−２）、それが「０」であれば、ズームをワイド側に戻し（Ｓ−３）、さらにフォーカスレンズをステップ（Ｓ−１）で設定した位置すなわち１１段の位置に繰出す（Ｓ−４）。その後スナップフラグを「１」にして（Ｓ−５）、ステップ（Ｆ−８）へ戻る。
　この実施例ではズームをワイド側にしフォーカスレンズを１１段に固定することによって、１．７ｍの被写体距離にピントが合い、そのときの被写界深度によって通常のスナップ撮影のときの被写体をカバーできるようになっている。
　スナップフラグが「１」のときはスナップフラグを「０」に戻した後（Ｓ−６）、レンズを初期位置に戻して（Ｓ−７）、ステップ（Ｆ−８）へ戻る。
　以上の動作をまとめると、スナップボタン１３が押されるとスナップモードになり、ズームレンズがワイド側に移動し、フォーカスレンズはパンフォーカス位置である１１段の位置にセットされる。スナップボタン１３をもう１度押すとスナップモードは解除されてフォーカスレンズは初期位置へ戻る。
　さて、第３図に戻って、ステップ（Ｆ−２６）においては、モードスイッチの状態をみて、ＯＮであればＭＯＤＥシーケンスへ移行して（Ｆ−２７）ストロボまたはセルフタイマの使用モードを切り換える。モードスイッチがＯＦＦのときは、メインスイッチをみて（Ｆ−２８）、それがＯＮであればオプションスイッチ群３８のスイッチ状態からテスト条件が成立しているかどうかを判断し（Ｆ−２９）、そうであればその条件に応じて測光や測距などのテストを行ない（Ｆ−３０）、そうでなければパワーオフする（Ｆ−３１）。
　メインスイヅチがＯＦＦであれば（Ｆ−２８）、巻戻しスイッチをみて（Ｆ−３２）、それがＯＦＦならパワーオフし（Ｆ−３１）、ＯＮであればフイルムの巻戻しを行なう（Ｆ−３３）。
　以上のように本発明ではＡＦカメラであってもスナップモードのときは、フォーカスレンズを所定位置で固定してパンフォーカスにしているが、ストロボを使用するときはＡＦの測距情報を絞り制御（フラッシュマチック）に利用している。すなわち被写体距離が近いときはシャッタの開き始めの時からストロボ発光までの時間を短くして絞りを小さくし、また被写体距離が遠いときはストロボ発光タイミングを遅くして絞りを大きくする。このようにストロボ撮影時にはＡＦ測距情報を利用することによって、適正露光を行なうことができ、とくに近距離の露出オーバーを防止することができる。なお、言うまでもなくストロボを使用しない場合は、通常撮影と同じように、測光結果に基づき絞り制御を行なうようにしている。
　上記実施例においては、被写体の急激な状況変化に即応するためにスナップモードのときに連写を受け付けるようし、これによってシャッタチャンスの予測しにくい被写体の写真を確実に撮れるようにしたが、これと同じ考えで、１コマのフィルムに複数回の露光を行なう多重露出撮影が可能なカメラにおいては、スナップモードのときに多重露出撮影を受け付けるようにしてもよい。また実施例ではズームレンズカメラを例にとってい説明したが、本発明はズームレンズを搭載していないカメラにも適用できることはもちろんである。
（発明の効果）
　以上説明したように、本発明によれば、自動焦点カメラにスナップモードを設け、スナップモードにおいては、撮影レンズを特定有限距離にある被写体に合焦する位置に移動させるとともに、スナップモードであってストロボ使用時には測距手段の測距結果に応じて絞り制御を行なうように構成したことにより、スナップ写真を簡単かつ確実に撮ることができる。すなわちスナップ撮影時の被写体とくに動く被写体にもＡＦロックなどの煩わしい操作をすることなく、ピントを合わせることができ、またストロボ使用時にはＡＦ測距結果を利用するので、適正露出で撮影することができる。
【図面の簡単な説明】
　第１図は本発明による自動焦点カメラの一実施例の外観図、第２図は第１図のカメラの回路構成を示すブロック線図、第３図および第４図は実施例の動作を説明するフローチャートである。
　２２…ＣＰＵ、２８…フォーカスモータ、３２…ズームモータ、４２…測距部